(57)【要約】  本発明は、極低磁場核磁気共鳴心筋電気活動直接検出方法及び極低磁場核磁気共鳴装置を提供する。この極低磁場核磁気共鳴装置は、磁気遮蔽手段、磁気遮蔽手段の内部の配置される測定対象に近接して配置された高感度磁場測定手段、及び測定対象に測定しようとする病巣の周期的心筋電気活動の周波数に該当する陽子磁気共鳴周波数（核磁気共鳴周波数）に該当する外部測定バイアス磁場を提供するバイアス磁場発生手段を含む。高感度磁場測定手段は、測定対象から発生される磁気共鳴信号を測定する。
2013543770.tif 000002
【特許請求の範囲】
【請求項１】
測定対象を磁気遮蔽手段内部の高感度磁場測定手段に近接して配置する段階と、
前記測定対象に測定しようとする病巣の周期的心筋電気活動の周波数に該当する陽子磁気共鳴周波数（核磁気共鳴周波数）に該当する外部測定バイアス磁場を提供する段階と、
高感度磁場測定手段を用いて前記測定対象から発生される磁気共鳴信号を測定する段階と、を含むことを特徴とする極低磁場核磁気共鳴心筋電気活動検出方法。
【請求項２】
事前磁化手段（ｐｒｅ-ｐｏｌａｒｉｚａｔｉｏｎ ｍｅａｎｓ）を用いて前記測定対象を事前磁化させる段階と、
事前磁化手段を非活性化する段階と、をさらに含むことを特徴とする請求項１に記載の極低磁場核磁気共鳴心筋電気活動検出方法。
【請求項３】
前記外部測定バイアス磁場を測定しようとする信号の周波数に応じてスキャン及び外部測定バイアス磁場と事前磁化磁場方向を転換する段階をさらに含むことを特徴とする請求項１に記載の極低磁場核磁気共鳴心筋電気活動検出方法。
【請求項４】
前記高感度磁場測定手段は、超伝導量子干渉素子または光ポンピング原子磁力計などの高感度磁気センサであることを特徴とする請求項１に記載の極低磁場核磁気共鳴心筋電気活動検出方法。
【請求項５】
傾斜磁場を前記測定対象に提供する段階をさらに含むことを特徴とする請求項１に記載の極低磁場核磁気共鳴心筋電気活動検出方法。
【請求項６】
磁気遮蔽手段と、
前記磁気遮蔽手段の内部に配置される測定対象に近接して配置された高感度磁場測定手段と、
前記測定対象に測定しようとする病巣の周期的心筋電気活動の周波数に該当する陽子磁気共鳴周波数（核磁気共鳴周波数）に該当する外部測定バイアス磁場を提供するバイアス磁場発生手段と、を含み、
前記高感度磁場測定手段は、前記測定対象から発生される磁気共鳴信号を測定することを特徴とする極低磁場核磁気共鳴装置。
【請求項７】
前記測定対象を事前磁化させる事前磁化手段をさらに含むことを特徴とする請求項６に記載の極低磁場核磁気共鳴装置。
【請求項８】
前記測定対象に傾斜磁場を提供する傾斜磁場発生手段をさらに含むことを特徴とする請求項６に記載の極低磁場核磁気共鳴装置。
【請求項９】
前記バイアス磁場発生手段は、測定しようとする信号の周波数に応じてスキャンすることを特徴とする請求項６に記載の極低磁場核磁気共鳴装置。
【発明の詳細な説明】
【技術分野】
【０００１】
本発明は、極低磁場核磁気共鳴装置に関するものとして、より詳細には、核磁気共鳴装置を用いた心筋電気活動直接検出装置に関する。
【背景技術】
【０００２】
心筋の回帰性興奮（ｒｅｅｎｔｒｙ  ｅｘｃｉｔａｔｉｏｎ）または離巣性興奮（ｅｃｔｏｐｉｃ  ｅｘｃｉｔａｔｉｏｎ）は、多くの心臓疾患を起こす原因になる。このような心筋の伝導異常は、脳卒中の原因になる心房不整脈、頻脈、及び心不全などに発展する。また、心筋の伝導異常は、心停止による心臓突然死を起こす心室細動のメカニズムでもある。従来、このような心筋の伝導異常を検出するために太ももの大動脈または大静脈を通じてカテーテル電極を挿入して、位置を変えながら心内膜電位（ｅｎｄｏｃａｒｄｉａｌ  ｐｏｔｅｎｔｉａｌｓ）を一つ一つ測定した。または、開胸手術の時、心外膜に多チャンネル電極パッチなどを附着して測定した。非侵襲的な方法としては、胸郭及び手足に多数の電極を付けて電位を測定する心電図と、ＳＱＵＩＤ（Ｓｕｐｅｒｃｏｎｄｕｃｔｉｎｇ  Ｑｕａｎｔｕｍ  Ｉｎｔｅｒｆｅｒｅｎｃｅ  Ｄｅｖｉｃｅ）や原子磁力計のような超高感度磁気センサを用いて心筋電気活動を測定する心磁図などの方法がある。
【発明の概要】
【発明が解決しようとする課題】
【０００３】
本発明が解決しようとする技術的課題は、心筋電気活動における回帰性波動や離巣性興奮などの周期性を有する異常電気活動を検出することにおいて、外部測定バイアス磁場を低くして心筋周辺の陽子の共鳴周波数を異常電気活動によって発生する心筋磁場変化の周波数に合わせることで、心臓の病巣を検出する極低磁場核磁気共鳴心筋電気活動検出方法を提供することにある。
【課題を解決するための手段】
【０００４】
本発明の一実施例による極低磁場核磁気共鳴心筋電気活動検出方法は、測定対象を磁気遮蔽手段内部の高感度磁場測定手段に近接して配置する段階と、前記測定対象に測定しようとする病巣の周期的心筋電気活動の周波数に該当する陽子磁気共鳴周波数（核磁気共鳴周波数）に該当する外部測定バイアス磁場を提供する段階と、高感度磁場測定手段を用いて前記測定対象から発生される磁気共鳴信号を測定する段階と、を含む。
【０００５】
本発明の一実施例による極低磁場核磁気共鳴装置は、磁気遮蔽手段、前記磁気遮蔽手段の内部に配置される測定対象に近接して配置された高感度磁場測定手段と、前記測定対象に測定しようとする病巣の周期的心筋電気活動の周波数に該当する陽子磁気共鳴周波数（核磁気共鳴周波数）に該当する外部測定バイアス磁場を提供するバイアス磁場発生手段と、を含む。前記高感度磁場測定手段は、前記測定対象から発生される磁気共鳴信号を測定する。
【発明の効果】
【０００６】
本発明の一実施例による極低磁場核磁気共鳴心筋電気活動検出方法は、非侵襲的な方法で大変正確に心臓回帰性波動や離巣性興奮の発生位置を探索することが可能である。したがって、安全で便利な医療診断に活用することができる。患者はおろか、医者にも長時間の危ない施術及び放射線被爆を減らすことができる。治療のための診断はおろか、治療後の予後観察にも気軽に使用できる技術であるため、新しい画期的な医療機器の開発に活用できる。
【図面の簡単な説明】
【０００７】
【図１】発明の一実施例による極低磁場核磁気共鳴装置を説明する図面である。
【図２】本発明の動作原理を説明する図面である。
【図３】本発明の一実施例による極低磁場核磁気共鳴装置の動作原理を説明する図面である。
【図４】本発明の一実施例による極低磁場核磁気共鳴心筋電気活動検出方法を説明するフローチャートである。
【発明を実施するための形態】
【０００８】
ＥＰ（ｅｌｅｃｔｒｏｐｈｙｓｉｏｌｏｇｙ）テストは、カテーテル（ｃａｔｈｅｔｅｒ）を使用した心筋電気活動（ｍｙｏｃａｒｄｉａｌ  ｅｌｅｃｔｒｉｃ  ａｃｔｉｖｉｔｙ）を検査する。前記ＥＰテストは、人体内部にカテーテルを挿入して、心臓内膜（ｅｎｄｏｃａｒｄｉｕｍ）に電極を接触して測定する。この方法は、浸湿的（ｉｎｖａｓｉｖｅ）で、いつもその手術の危険性を内包する。特に、この方法の測定可能部位は、心臓内膜に限定される。また、大動脈、大静脈を通る場合、反対側の心房または心室には、隔壁に穿孔を施さなければ電極の接近は不可能である。また、電極を正しい位置に置くために、患者及び医者は、施術する間、放射線に被爆される負担がある。さらに、この方法は、それ自体に空間的情報を与えることができない。したがって、心筋電気活動の空間的マッピング（ｍａｐｐｉｎｇ）のためには、別途の磁気的位置追跡装置などの手段が必要である。
【０００９】
心外膜（ｅｐｉｃａｒｄｉｕｍ）電極アレイの場合は、開胸手術（ｔｈｏｒａｃｉｃ  ｓｕｒｇｅｒｙ）の大きい負担があり、電極附着などに高度の技術を要するので、手術後の予後観察（ｆｏｌｌｏｗ−ｕｐ  ｄｉａｇｎｏｓｉｓ）などに活用が不可能である。
【００１０】
心電図（ｅｌｅｃｔｒｏｃａｒｄｉｏｇｒａｍ）または心磁図（ｍａｇｎｅｔｏｃａｒｄｉｏｇｒａｍ）を用いた心筋電気活動の空間的マッピングは、非浸湿的測定結果を用いるイル・ポーズ逆問題（ｉｌｌ−ｐｏｓｅｄ  ｉｎｖｅｒｓｅ  ｐｒｏｂｌｅｍ）解法による電流源の推定である。したがって、境界条件（ｃｏｎｓｔｒａｉｎｔ）がよく定義されない電流源または深い電流源に対する推定誤差が非常に大きい。したがって、心電図または心磁図は、臨床活用に限界がある。
【００１１】
本発明の一実施例による極低磁場核磁気共鳴心筋電気活動検出方法は、心臓の回帰性波動（ｒｅｅｎｔｒｙ  ｗａｖｅ）、離巣性興奮（ｅｃｔｏｐｉｃ  ｅｘｃｉｔａｔｉｏｎ）など、心臓疾患に原因になる心筋電気活動を非浸湿的に測定して局地化（ｌｏｃａｌｉｚｅ）する。したがって、前記検出方法は、心臓疾患研究、診断、及び治療に役立つ新しい医療装置の開発を提供することができる。
【００１２】
以下、添付した図面を参照して本発明の好ましい実施例を詳しく説明する。しかし、本発明は、ここで説明される実施例に限定されず、他の形態に具体化されることもできる。むしろ、ここで紹介される実施例は、開示された内容が
徹底的且つ完全になるように、そして当業者において本発明の思想を充分に伝達できるように提供された。図面において、構成要素は、明確性を期するために誇張された。明細書全体にかけて、同一の参照番号で表示された部分は、同一の構成要素を示す。
【００１３】
図１は、発明の一実施例による極低磁場核磁気共鳴装置を説明する図面である。
【００１４】
図２は、本発明の動作原理を説明する図面である。
【００１５】
図１及び図２に示すように、極低磁場核磁気共鳴装置は、磁気遮蔽手段１２０、前記磁気遮蔽手段１２０の内部に配置される測定対象１７０に近接して配置された高感度磁場測定手段１６０、及び前記測定対象１７０に測定しようとする病巣の周期的心筋電気活動の周波数に該当する陽子磁気共鳴周波数（核磁気共鳴周波数）に該当する外部測定バイアス磁場Ｂｂを提供するバイアス磁場発生手段１４０を含む。前記高感度磁場測定手段１６０は、前記測定対象１７０から発生される磁気共鳴信号を測定する。
【００１６】
心筋の回帰性波動や離巣性興奮は、周期的な特徴を有し、局所的で反復的な特徴を有する。すなわち、心筋は、病変及び病巣に応じて特定の周波数ｆｓを有して興奮する。興奮した部分（ｄｅｐｏｌａｒｉｚｅｄ  ａｒｅａ）の心筋は、再分極（ｒｅｐｏｌａｒｉｚｅｄ）された他の部分と電位差を見せる。前記電位差は、ウェーブフロント（ｗａｖｅ−ｆｒｏｎｔ）を有し、心筋電流（Ｍｙｏｃａｒｄｉａｌ  Ｃｕｒｒｅｎｔ）を発生させる。前記心筋電流は、心筋磁場Ｂｍ（Ｍｙｏｃａｒｄｉａｌ  Ｍａｇｎｅｔｉｃ  Ｆｉｅｌｄ）を発生させる。前記心筋磁場の周波数ｆｍは、回帰性波動や離巣性興奮など心筋電気の興奮周波数ｆｓと同じである。前記心筋磁場は、前記心筋電流の周りの心筋を成す陽子に強い影響を与える。前記心筋電流源から距離が増えることによってその影響も減少する。
【００１７】
特性周波数ｆｍの前記心筋磁場は、一般的磁気共鳴画像でのＢ１−
ＲＦ磁場のように活用される。これによって、磁気共鳴現象を空間的に分離して測定すれば、回帰性波動や離巣性興奮の位置を見出すことが可能である。
【００１８】
一方、一般磁気共鳴画像装置との差異は、マイクロテスラμＴレベルの測定バイアス磁場の大きさとＢ１ ＲＦ磁場の生体的発生現象を利用するものにある。
【００１９】
興奮した心筋周辺の水分などの陽子の磁器回転比による共鳴周波数は、約４２ＭＨｚ/Ｔである。例えば、捜そうとする発作性心房細動での回帰性波動の周波数ｆｓが４２Ｈｚに該当すると仮定する。この場合、前記周波数ｆｓの心筋磁場Ｂｍを吸収して磁気共鳴を起こすことができる外部測定バイアス磁場Ｂｂ（Ｅｘｔｅｒｎａｌ  Ｍｅａｓｕｒｅｍｅｎｔ  Ｂｉａｓ  Ｍａｇｎｅｔｉｃ  Ｆｉｅｌｄ）の強さ（ｍａｇｎｉｔｕｄｅ）は、約１マイクロテスラμＴに該当する。
【００２０】
前記外部測定バイアス磁場Ｂｂ（Ｅｘｔｅｒｎａｌ  Ｍｅａｓｕｒｅｍｅｎｔ  Ｂｉａｓ  Ｍａｇｎｅｔｉｃ  Ｆｉｅｌｄ）下でｆｓの周波数のＢｍ心筋磁場を発生させる心筋の周りの共鳴する陽子は、共鳴陽子を形成することがある。また、ｆｓ以外の周波数で興奮する心筋や、ｆｓの周波数で興奮する心筋から遠く離れた心筋の共鳴しない陽子は、非共鳴陽子を形成することがある。前記外部測定バイアス磁場Ｂｂの強さは、既存のＭＲＩ（Ｍａｇｎｅｔｉｃ  Ｒｅｓｏｎａｎｃｅ  Ｉｍａｇｉｎｇ）１００万分の１程度で小さい。前記外部測定バイアス磁場Ｂｂの大きさは、約５０マイクロテスラμＴの地球磁場よりも小さい。したがって、地球磁場をとり除くために、測定対象は、磁気遮蔽手段内部に位置することができる。前記磁気遮蔽手段は、磁気遮蔽室（ｍａｇｎｅｔｉｃａｌｌｙ  ｓｈｉｅｌｄｅｄ  ｒｏｏｍ）や能動磁気遮蔽装置（ａｃｔｉｖｅ  ｍａｇｎｅｔｉｃ  ｓｈｉｅｌｄｉｎｇ）である。
【００２１】
また、弱い外部測定バイアス磁場Ｂｂで、陽子スピン（ｐｒｏｔｏｎ  ｓｐｉｎ）の整列が難しいことがある。よって、実際測定される磁気共鳴信号の大きさが非常に小さい。したがって、測定を開始する前に事前磁化手段を用いて力強な事前磁化磁場Ｂｐ（ｐｒｅ−ｐｏｌａｒｉｚａｔｉｏｎ  ｍａｇｎｅｔｉｃ  ｆｉｅｌｄ）を発生させることがある。前記事前磁化磁場Ｂｐは，測定対象を事前磁化させることがある。
【００２２】
強い事前磁化磁場Ｂｐによって、前記陽子は整列されて、前記測定対象１７０は磁化されることがある。一方、外部測定バイアス磁場Ｂｂの大きさに該当する陽子の磁気共鳴歳差周波数（ｍａｇｎｅｔｉｃ  ｒｅｓｏｎａｎｃｅ  ｐｒｅｃｅｓｓｉｏｎ  ｆｒｅｑｕｅｎｃｙ）が低い。よって、測定信号の周波数に比例して信号が大きくなる既存のコイルを用いたインダクティブ（ｉｎｄｕｃｔｉｖｅ）測定は、十分な大きさの信号を提供することができない。したがって、高感度磁場測定手段１６０は、測定感度が信号の周波数に無関係な超伝導量子干渉素子ＳＱＵＩＤまたは光ポンピング原子磁力計である。
【００２３】
バイアス磁場発生手段１４０は、前記外部測定バイアス磁場Ｂｂを生成し、通常的な抵抗性コイルである。前記バイアス磁場発生手段１４０は、前記磁気遮蔽手段１２０の内部に配置されることがある。前記バイアス磁場発生手段１４０は、その磁場の強さを任意にスキャンすることがある。したがって、外部測定バイアス磁場Ｂｂ（Ｅｘｔｅｒｎａｌ  Ｍｅａｓｕｒｅｍｅｎｔ  Ｂｉａｓ  Ｍａｇｎｅｔｉｃ  Ｆｉｅｌｄ）の強さ（Ｉｎｔｅｎｓｉｔｙ）は、測定しようとする心筋電気の興奮周波数ｆｓに対応することがある。例えば、前記外部測定バイアス磁場Ｂｂは、ｘ軸方向に持続的にまたはパルス形態に印加されることがある。
【００２４】
前記事前磁化手段１５０は、事前磁化磁場Ｂｐを発生させて前記測定対象１７０を事前磁化させることがある。前記事前磁化手段１５０は、動的核磁化（Ｄｙｎａｍｉｃ  Ｎｕｃｌｅａｒ  Ｐｏｌａｒｉｚａｔｉｏｎ）を用いて測定対象１７０の核磁化を強化することがある。前記事前磁化手段１５０は、通常的な抵抗性コイルまたは超伝導コイルである。前記事前磁化手段１５０は、前記磁気遮蔽手段１２０内部に配置されることがある。また、前記事前磁化手段１５０は、前記測定対象１７０を取り囲んで前記バイアス磁場発生手段１４０の内部に配置されることがある。前記事前磁化磁場Ｂｐは、ｘ軸方向にパルス印加されることがある。
【００２５】
傾斜磁場発生手段１３０は、前記測定対象１７０に傾斜磁場を提供する。これによって、前記測定対象１７０で発生する核磁気共鳴信号は局地化されることがある。前記傾斜磁場発生手段１３０は、通常的な抵抗性コイルである。前記傾斜磁場発生手段１３０は、前記測定対象１７０と前記磁気遮蔽手段１２０
との間に配置されることがある。
【００２６】
磁場測定手段１６０は、前記測定対象１７０と接するように配置され、前記測定対象１７０から放出される磁気共鳴信号を獲得する。前記磁場測定手段１６０の出力信号は、前記測定及び分析部１８０に提供される。
【００２７】
前記測定及び分析部１８０は、前記磁気共鳴信号を用いて発作性心房細動での回帰性波動の周波数ｆｓ及び位置を提供することがある。
【００２８】
磁場制御部１１０は、前記測定及び分析部１８０と同期化されて、前記測定対象１７０に多様な磁場を印加することがある。前記磁場制御部１１０は、一連の手順に沿って、前記事前磁化発生手段１５０、前記バイアス磁場発生手段１４０、及び傾斜磁場発生手段１３０を制御することがある。
【００２９】
図３は、本発明の一実施例による極低磁場核磁気共鳴装置の動作原理を説明する図面である。
【００３０】
図３に示すように、直角（Ｃａｒｔｅｓｉａｎ）座標系を基準でｚ軸方向に平行な磁場に敏感になるよう高感度磁場測定手段１６０が配置される。事前磁化手段による事前磁化磁場Ｂｐ及びバイアス磁場発生手段によるバイアス磁場Ｂｂは、両方ｘ軸方向に一直線になるように印加されることがある。この場合、測定対象の陽子の核スピンは、ｘ方向に整列して磁化Ｍ（ｍａｇｎｅｔｉｚａｔｉｏｎ）を形成する。前記事前磁化磁場を閉じるやいなや測定を始める。この場合、生成された磁化Ｍは、外部測定バイアス磁場Ｂｂの方向であるｘ軸を中心に回転する。磁気共鳴を起こす心筋電気活動がなければ、初めからｚ軸方向の磁化成分Ｍｚがないので、回転をしてもｚ軸方向の磁場変化はなく、信号は測定されない。
【００３１】
しかし、心筋異常によって外部測定バイアス磁場Ｂｂに比例する磁気共鳴周波数で周期的に回帰性波動などが発生して、その心臓電流変化から発生する交流の心筋磁場Ｂｍの方向がｙ軸やｚ軸方向である場合、磁気共鳴現象によって
ｘ軸方向に整列されていた磁化Ｍは、ｚ軸またはｙ軸方向に傾くようになる。この傾いた磁化Ｍが外部測定バイアス磁場Ｂｂの方向であるｘ軸を中心に回転する。したがって、変化する磁化のｚ軸方向成分を作ってｚ軸方向の磁場が生成される。高感度磁場測定手段１６０によってｚ軸方向の磁場を測定することが可能である。
【００３２】
すなわち、測定しようとする心筋電気活動の方向や周波数に応じて、印加する外部測定バイアス磁場Ｂｂを調整あるいはスキャンすることによって、心筋異常を直接測定することが可能である。空間的位置情報を得るためには、一般的に知られた傾斜磁場を用いた磁気共鳴画像（ＭＲＩ）技法を活用することがある。
【００３３】
心房不整脈の一種である心房細動は、心房心筋の老化や変形による回帰性波動の発生に起因する。特に、その原因となる部分を見出す時、カテーテル電極を通じて高周波ｆ波（周期的波形）が出る所を見出して、アールエフアブレーション（ＲＦ  ａｂｌａｔｉｏｎ）や冷凍法などを通じて治療するようになる。しかし、探針を一々接触しながら測定する事は容易でなく、非常に長い時間がかかる。また、手術後の予後も浸湿的検査が負担になる。
【００３４】
本発明の構成をこの場合に適用すると、大変安全で效果的に心筋高周波ｆｍが発生する所をイメージすることができる。
【００３５】
図４は、本発明の一実施例による極低磁場核磁気共鳴心筋電気活動検出方法を説明するフローチャートである。
【００３６】
図４に示すように、極低磁場核磁気共鳴心筋電気活動検出方法は、測定対象を磁気遮蔽手段内部の高感度磁場測定手段に近接して配置する段階Ｓ１１０、前記測定対象に測定しようとする病巣の周期的心筋電気活動の周波数に該当する陽子磁気共鳴周波数（核磁気共鳴周波数）に該当する外部測定バイアス磁場を提供する段階Ｓ１４０、及び高感度磁場測定手段を用いて前記測定対象から発生される磁気共鳴信号を測定する段階Ｓ１６０を含む。
【００３７】
測定対象を磁気遮蔽手段内部の高感度磁場測定手段に近接して位置させるＳ１１０。事前磁化手段で事前磁化磁場を形成して測定対象を磁化させるＳ１２０。事前磁化手段を非活性化して前記事前磁化磁場を除去するＳ１３０。
【００３８】
バイアス磁場発生手段は、外部測定バイアス磁場を生成する。前記事前磁化磁場が除去された状態で前記測定対象に前記外部測定バイアス磁場を印加するＳ１４０。ただし、外部測定バイアス磁場の印加は、事前磁化磁場の断続手順（ｏｎ−ｏｆｆ  ｏｒｄｅｒ）とは関係ない。常に変化せずに印加されていることもある。前記外部測定バイアス磁場は、測定しようとする病巣の周期的心筋電気活動の周波数に該当する陽子磁気共鳴周波数（核磁気共鳴周波数）に対応する。
【００３９】
傾斜磁場を前記測定対象に提供するＳ１５０。前記高感度磁場測定手段を用いて前記測定対象から発生される磁気共鳴信号を測定するＳ１６０。前記高感度磁場測定手段は、超伝導量子干渉素子あるいは光ポンピング原子磁力計などの高感度磁気センサである。
【００４０】
前記外部測定バイアス磁場を測定しようとする信号の周波数に応じてスキャン及び外部測定バイアス磁場-事前磁化磁場方向を転換するＳ１７０。
【００４１】
前記磁気共鳴信号を分析して病巣の周期的心筋電気活動の周波数及び/または位置を提供するＳ１８０。
【００４２】
具体的な測定の方法は、それぞれの磁場の方向及び印加時間、測定しようとする現象などによって変形されることがある。
【００４３】
本発明の一実施例による磁気共鳴信号の大きさは、事前磁化の大きさに比例する。通常コイルなどの磁場発生装置を利用するが、動的核磁化（Ｄｙｎａｍｉｃ  Ｎｕｃｌｅａｒ  Ｐｏｌａｒｉｚａｔｉｏｎ）の方法で磁化が強化された水を血管に注入する方法などで信号を増加させることが可能である。
【００４４】
本発明は、非侵襲的な方法で大変正確に心臓回帰性波動や離巣性興奮の発生位置を探索することが可能であるため、安全で便利な医療診断に活用することができる。患者はおろか、医者にも長時間の危ない施術及び放射線被爆を減らすことができる。治療のための診断はおろか、治療後の予後観察にも気軽に使用できる技術であるため、新しい画期的な医療機器の開発に活用できる。
【００４５】
上記のように、本発明を特定の好ましい実施例に対して図示して説明したが、本発明はこのような実施例に限定されず、当該発明が属する技術分野において、通常の知識を有した者が特許請求の範囲で請求する本発明の技術的思想を逸脱しない範囲内で行うことができる多様な形態の実施例を全て含む。
【符号の説明】
【００４６】
１２０：磁気遮蔽手段
１７０：測定対象
１６０：磁場測定手段
１４０：バイアス磁場発生手段
１５０：事前磁化磁場発生手段
【図１】
2013543770.tif 000003
【図２】
2013543770.tif 000004
【図３】
2013543770.tif 000005
【図４】
2013543770.tif 000006
【国際調査報告】
2013543770.tif 000007
2013543770.tif 000008
2013543770.tif 000009
2013543770.tif 000010